(57)【特許請求の範囲】
【請求項１】
サーマルヘッドを含む印字に必要な各種部材を備えるプリンタ本体と、
プラテンローラを備え、かつ、装填された感熱記録用のロール紙への前記サーマルヘッドによる印字を自在にして前記プリント本体側に引き開き可能に取り付けられるロール紙カバーとで構成され、
前記プリンタ本体における前記サーマルヘッドの長さ方向での下方位置には、外部圧力が作用しない前記ロール紙カバーの開蓋時に前記サーマルヘッドの印字面を覆うように付勢され、前記ロール紙カバー側からの外部圧力が作用する閉蓋時に前記ロール紙から引き出されて前記サーマルヘッドとプラテンローラとの間に到達している供給紙片部の後方に位置する途上紙片部へのバックテンションの付与が自在な揺動ガイド手段を配設したことを特徴とするロール紙用プリンタ。
【発明の詳細な説明】
【技術分野】
【０００１】
本発明は、感熱記録タイプのロール紙から引き出されてサーマルヘッドとプラテンローラとの間に位置させた供給紙片部とその後方に位置する途上紙片部との間にバックテンションをかけることができる構造を備えたロール紙用プリンタに関する技術である。
【背景技術】
【０００２】
波形記録計などの計測機器には、記録紙に波形などの必要情報を印字するプリンタを備えているものもあり、この場合に用いられる記録紙としては、感熱記録タイプのロール紙が用いられ、プリンタとしては、サーマルヘッドを備えたものが用いられる例が多い。
【０００３】
この場合、ロール紙から引き出された供給紙片部は、サーマルヘッドとプラテンローラとの間に送り込む途中に位置する途上紙片部がカールするのを防ぐためにバックテンションをかけてやる必要がある。
【０００４】
このようなバックテンションは、例えば下記の特許文献１や特許文献２に開示されているように、トルクリミッタを設けて常に一定の力で作用させることができるようにしたものがある。
【特許文献１】特開平６−２１９００２号公報
【特許文献２】特開２００４−２９１３９５号公報
【発明の開示】
【発明が解決しようとする課題】
【０００５】
しかし、サーマルヘッドを備える上記特許文献１，２を含む従来タイプのプリンタは、所望するバックテンションをかけることはできるものの、該バックテンション付与手段を利用してロール紙を交換する際などに剥き出しになっているサーマルヘッドの印字面に手指が触れるのを阻止できる構造を備えていないため、該印字面に汚れを付着させてしまうなどの不都合があった。
【０００６】
本発明は、従来技術にみられた上記課題に鑑み、ロール紙を交換する際などであってもサーマルヘッドの印字面を剥き出しにすることなくカバーできるようにしたロール紙用プリンタを提供することを目的とする。
【課題を解決するための手段】
【０００７】
本発明は、上記目的を達成すべくなされたものであり、サーマルヘッドを含む印字に必要な各種部材を備えるプリンタ本体と、プラテンローラを備え、かつ、装填された感熱記録用のロール紙への前記サーマルヘッドによる印字を自在にして前記プリント本体側に引き開き可能に取り付けられるロール紙カバーとで構成され、前記プリンタ本体における前記サーマルヘッドの長さ方向での下方位置には、外部圧力が作用しない前記ロール紙カバーの開蓋時に前記サーマルヘッドの印字面を覆うように付勢され、前記ロール紙カバー側からの外部圧力が作用する閉蓋時に前記ロール紙から引き出されて前記サーマルヘッドとプラテンローラとの間に到達している供給紙片部の後方に位置する途上紙片部へのバックテンションの付与が自在な揺動ガイド手段を配設したことを最も主要な特徴とする。
【発明の効果】
【０００８】
本発明によれば、揺動ガイド手段は、ロール紙カバーの開蓋時にサーマルヘッドの印字面を覆って保護することができるので、作業者が手指で印字面に触れることをなくして、汚れの付着を防止することができる。
【０００９】
また、揺動ガイド手段は、ロール紙カバーの完全閉蓋時にロール紙側にバックテンションをかけてカールしたり蛇行するのを防ぎながらサーマルヘッド側に円滑に送り出すことができる。
【発明を実施するための最良の形態】
【００１０】
図１は、本発明の一例につき、ロール紙カバーをプリンタ本体側から引き開いた開蓋状態のもとで示す全体斜視図である。また、図２は、図１に示す例につき、その反対方向である左側方向からみた状態を示す側面図であり、そのうちの（ａ）はロール紙カバーでプリンタ本体側を完全閉蓋した際の状態を、（ｂ）はロール紙カバーを完全開蓋させた状態をそれぞれ示す。
【００１１】
これらの図によれば、ロール紙用プリンタ１１の全体は、サーマルヘッド１６や揺動ガイド手段２３などを備えるプリンタ本体１２と、プラテンローラ３８を備えてロール紙４２を交換する際などに引き開くことができるようにプリンタ本体１２側に対し揺動可能に取り付けられたロール紙カバー３２とで構成されている。
【００１２】
このうち、プリンタ本体１２は、図示しない波形記録計などの計測機器側に組み込むことができる左右一対の側板部１３，１４と、これら側板部１３，１４相互間に架け渡された天板部１５とを備えた略門型形状が付与されて形成されている。
【００１３】
そして、サーマルヘッド１６は、天板部１５の下面側にその長さ方向（図１に示す例では左右方向）に沿わせ、かつ、印字面１６ａを下方に向けて配設されている。
【００１４】
また、プリンタ本体１２にあってサーマルヘッド１６の長さ方向での下方位置に配設される揺動ガイド手段２３は、基端部２６側に設けられた軸支孔２５に軸支された支軸１７を介してプリンタ本体１２の左右位置に揺動自在に配設される一対のガイド片２４，２４と、これらガイド片２４，２４相互間に横架されて印字面１６ａと近傍位置での対面が可能な従動ガイド部２９とを備えて形成されている。
【００１５】
このうち、一対のガイド片２４，２４は、サーマルヘッド１６の印字面１６ａに従動ガイド部２９を図３に示すように対面させた際、図５に示すようにプリンタ本体１２側に当接してその動きを停止させることができる突片２６ａを基端部２６の開放端側に備えている。なお、開蓋時における揺動ガイド手段２３の全体は、手指にて例えば従動ガイド部２９を押し下げることで、図６（ｃ）に示す状態と同様に印字面１６ａから引き離してクリーニングすることもできる。
【００１６】
また、各ガイド片２４は、基端部２６から反対方向に延設され、かつ、その先端縁２７ａを上下方向に円曲化させた長辺部２７と、該長辺部２７の外側面から外方に庇状に突出させた位置規制片２８とを備えているほか、支軸１７に介装配置された捩りばね１８により長辺部２７側が常に上方に回転するように付勢されて軸支されている。
【００１７】
一方、ロール紙カバー３２は、ロール紙４２が収容される凹曲カバー本体部３３と、該凹曲カバー本体部３３の左右に配置されてプリンタ本体１２の側板部１３，１４側に揺動自在に連結される一対の支腕部３４，３５とを備えて形成されている。
【００１８】
そして、プラテンローラ３８は、ロール紙カバー３２をプリンタ本体１２側へと押し戻すことで完全閉蓋して印字できるようにセットした際に、図２（ａ）に示すように印字ヘッド１６の印字面側に位置するようにして配設されている。
【００１９】
しかも、一対の支腕部３４，３５は、その閉蓋時に図６に示すように各ガイド片２４が備える位置規制片２８に乗り上げて捩りばね１８の付勢力に抗して長辺部２７側を押し下げる突起部３６を備えている。
【００２０】
次に、ロール紙カバー３２の開閉時における揺動ガイド手段２３の動きを図６（ａ）〜（ｃ）を参酌して説明する。図１や図２（ｂ）に示すロール紙カバー３２の完全開蓋時には、揺動ガイド手段２３を構成している各ガイド片２４も、突起部３６を介してロール紙カバー３２側からの外力を受けることはないので、プラテンローラ３８の印字面１６ａを従動ガイド部２９で覆う位置関係のもとで、図２（ｂ）や図４に示すようにその突片２６ａをプリンタ本体１２側に当接させて印字面１６ａ側に衝接しないようにその動きを停止させておくことができる。
【００２１】
ロール紙カバー３２の閉蓋動作を開始し、やがて図６（ａ）に示すようにロール紙カバー３２が備える突起部３６が各ガイド片２４が備える位置規制片２８の始端２８ａに乗り上げ始めると、揺動ガイド手段２３の全体は、図６（ｂ）に示すように捩りばね１８の付勢力に抗して次第に押し下げられるように回動し始める。
【００２２】
ロール紙カバー３２が完全閉蓋状態になると、突起部３６が各ガイド片２４が備える位置規制片２８の奥端２８ｂに到達し、揺動ガイド手段２３の全体は、図６（ｃ）に示す位置にてその回動を停止し、図２（ａ）に示す状態となる。
【００２３】
このため、揺動ガイド手段２３は、図２（ａ）に示すようにロール紙４２から引き出されてサーマルヘッド１６の印字面１６ａとプラテンローラ３８との間に到達している供給紙片部４３の後方に位置する途上紙片部４４に対しその先端縁２７ａ側を押し付けてバックテンションをかけることができる。
【００２４】
つまり、揺動ガイド手段２３は、ロール紙カバー３２の開蓋時にサーマルヘッド１６の印字面１６ａをその従動ガイド部２９で覆って保護することができるので、作業者が手指で印字面１６ａに触れることをなくして、汚れの付着を防止することができる。
【００２５】
また、揺動ガイド手段２３は、ロール紙カバー３２の完全閉蓋時に従動ガイド部２９の先端縁２７ａ側を押し付けて途上紙片部４４側にバックテンションをかけてカールしたり蛇行するのを防ぎながらサーマルヘッド１６側に供給紙片部４３として円滑に送り出すことができる。
【図面の簡単な説明】
【００２６】
【図１】本発明の一例につき、ロール紙カバーをプリンタ本体側から引き開いた開蓋状態のもとで示す全体斜視図。
【図２】図１に示す例につき、その反対方向である左側方向からみた状態を示す側面図であり、そのうちの（ａ）はロール紙カバーでプリンタ本体側を完全閉蓋した際の状態を、（ｂ）はロール紙カバーを完全開蓋させた状態をそれぞれ示す。
【図３】完全閉蓋時におけるサーマルヘッドと揺動ガイド手段との位置関係を示す要部拡大斜視図。
【図４】完全閉蓋時に揺動ガイド手段を手指で押し下げた際の状態を示す要部拡大斜視図。
【図５】完全開蓋時におけるサーマルヘッドと揺動ガイド手段との位置関係を示す要部説明図であり、そのうちの（ａ）は要部拡大斜視図を、（ｂ）は要部拡大側面図をそれぞれ示す。
【図６】ロール紙カバーの開閉時における揺動ガイド手段の動きを示す説明図であり、そのうちの（ａ）は閉蓋方向への動きを始めた際の状態を、（ｂ）はさらに閉蓋方向への動きを進めた際の態を、（ｃ）は完全閉蓋時における状態をそれぞれ示す。
【符号の説明】
【００２７】
１１  ロール紙用プリンタ
１２  プリンタ本体
１３，１４  側板部
１５  天板部
１６  サーマルヘッド
１６ａ  印字面
１７  支軸
１８  捩りばね
２３  揺動ガイド手段
２４  ガイド片
２５  軸支孔
２６  基端部
２６ａ  突片
２７  長辺部
２７ａ  先端縁
２８  位置規制片
２８ａ  始端
２８ｂ  奥端
２９  従動ガイド部
３２  ロール紙カバー
３３  凹曲カバー本体部
３４，３５  支腕部
３４ａ  先端部
３６  突起部
３８  プラテンローラ
４２  ロール紙
４３  供給紙片部
４４  途上紙片部
【図１】
0005297074.tif 000002
【図２】
0005297074.tif 000003
【図３】
0005297074.tif 000004
【図４】
0005297074.tif 000005
【図５】
0005297074.tif 000006
【図６】
0005297074.tif 000007